(57)【特許請求の範囲】
【請求項１】
Ｍ倍（Ｍ：自然数）でオーバーサンプリングされた受信ベースバンド信号のＬシンボル分（Ｌ：自然数）のサンプリング列から仮のシンボル識別点を検出する仮のシンボル識別点検出手段と、
前記仮のシンボル識別点検出手段により仮のシンボル識別点が連続してＮ回（Ｎ：自然数）検出されたときこのシンボル識別点のサンプル位置番号を記憶する記憶手段と、
前記記憶手段に記憶されたＮ個の仮のシンボル識別点のサンプル位置番号ごとの度数を集計処理し、度数の最も大きいサンプル位置番号を真のシンボル識別点のサンプル位置番号として決定する真のシンボル識別点検出手段と、
を備えたことを特徴とするシンボル識別点検出装置。
【請求項２】
前記真のシンボル識別点検出手段は、最も大きいサンプル位置番号が複数存在する場合には、１回目の連続したＮ回（Ｎ：自然数）の仮のシンボル識別点検出で想定していたフレームタイミングとずらした時間帯で２回目の連続したＮ回の仮のシンボル識別点を検出し、これにより記憶された新たなＮ個の仮のシンボル識別点のサンプル位置番号ごとの度数を集計処理し、度数の最も大きいサンプル位置番号を真のシンボル識別点のサンプル位置番号として決定することを特徴とする請求項１に記載のシンボル識別点検出装置。
【請求項３】
前記請求項２記載の真のシンボル識別点検出手段は、最も大きいサンプル位置番号が複数存在する場合には、予め指定した回数だけ同請求項２記載の処理を繰り返して真のシンボル識別点のサンプル位置番号として決定するシンボル識別点検出装置。
【請求項４】
Ｍ倍（Ｍ：自然数）でオーバーサンプリングされた受信ベースバンド信号のＬシンボル分（Ｌ：自然数）のサンプリング列から仮のシンボル識別点を検出する仮のシンボル識別点検出手段と、
前記仮のシンボル識別点検出手段により仮のシンボル識別点が連続してＮ回（Ｎ：自然数）検出されたときこのシンボル識別点のサンプル位置番号を記憶する記憶手段と、
前記記憶手段に記憶されたＮ個の仮のシンボル識別点のサンプル位置番号の度数分布を作成処理し、特定の連続するサンプル位置番号付近での分布の偏りに基づき最適なサンプル位置番号を選択して真のシンボル識別点のサンプル位置番号として決定する真のシンボル識別点検出手段と、
を備えたことを特徴とするシンボル識別点検出装置。
【請求項５】
前記真のシンボル識別点検出手段は、複数の連続するサンプル位置番号付近に分布が偏っている場合には、１回目の連続したＮ回（Ｎ：自然数）の仮のシンボル識別点検出で想定していたフレームタイミングとずらした時間帯で２回目の連続したＮ回の仮のシンボル識別点を検出し、これにより記憶された新たなＮ個の仮のシンボル識別点のサンプル位置番号の度数分布を作成処理し、特定の連続するサンプル位置番号付近での分布の偏りに基づき最適なサンプル位置番号を選択して真のシンボル識別点のサンプル位置番号として決定することを特徴とする請求項４に記載のシンボル識別点検出装置。
【請求項６】
前記請求項５記載の真のシンボル識別点検出手段は、複数の連続するサンプル位置番号付近に分布が偏っている場合には、予め指定した回数だけ同請求項５記載の処理を繰り返して真のシンボル識別点のサンプル位置番号として決定するシンボル識別点検出装置。
【請求項７】
Ｉ側及びＱ側直交検波入力端子と、
前記Ｉ側及びＱ側直交検波結果をシンボルレートのＭ倍（Ｍ：自然数）でオーバーサンプリングし、サンプリングデータを出力するＡ／Ｄ変換器と、
前記Ａ／Ｄ変換器の変換出力に基づきシンボル識別点を検出する処理手段とを備え、
前記処理手段は、前記請求項１乃至６記載のシンボル識別点検出装置で構成されていることを特徴とする移動無線装置。
【請求項８】
Ｍ倍（Ｍ：自然数）でオーバーサンプリングされた受信ベースバンド信号のＬシンボル分（Ｌ：自然数）のサンプリング列から仮のシンボル識別点を検出し、
前記仮のシンボル識別点が連続してＮ回（Ｎ：自然数）検出されたときこのシンボル識別点のサンプル位置番号を記憶し、
前記記憶したＮ個の仮のシンボル識別点のサンプル位置番号ごとの度数を集計処理し、
前記度数の最も大きいサンプル位置番号を真のシンボル識別点のサンプル位置番号として決定することを特徴とするシンボル識別点検出方法。
【請求項９】
Ｍ倍（Ｍ：自然数）でオーバーサンプリングされた受信ベースバンド信号のＬシンボル分（Ｌ：自然数）のサンプリング列から仮のシンボル識別点を検出し、
前記仮のシンボル識別点が連続してＮ回（Ｎ：自然数）検出されたときこのシンボル識別点のサンプル位置番号を記憶し、
前記記憶したＮ個の仮のシンボル識別点のサンプル位置番号の度数分布を作成処理し、
前記特定の連続するサンプル位置番号付近での分布の偏り状態に基づき、該付近で最も尤もらしいサンプル位置番号を選択して真のシンボル識別点のサンプル位置番号として決定することを特徴とするシンボル識別点検出方法。
【発明の詳細な説明】
【０００１】
【発明の属する技術分野】
本発明は、携帯電話、簡易型携帯電話、業務用デジタル通信電話等の移動無線装置に関する。
【０００２】
【従来の技術】
まず、図２１及び図２〜図５を参照して従来のシンボル識別点検出装置について説明する。
【０００３】
図２１は、従来の移動無線装置のシンボル識別点検出装置の構成図である。
【０００４】
図２１において、無線部のＩ側直交検波結果の入力１０１、Ｑ側直交検波結果の入力１０２は、それぞれＡ／Ｄ変換器１０３及び１０４に入力される。
【０００５】
Ａ／Ｄ変換器１０３，１０４から入力されるサンプリングデータにより、シンボル識別点検出手段１０５はシンボル識別点を検出する。
【０００６】
次に、図２１に示すように構成された従来のシンボル識別点検出装置の動作を説明する。
【０００７】
Ｉ側直交検波結果１０１及びＱ側直交検波結果１０２は、それぞれ図２及び図３に示すような、時刻ｔに関して連続する所定波形を有する。Ｉ側直交検波結果１０１は、Ａ／Ｄ変換器１０３に入力され、入力された波形はシンボルレートのＭ倍でオーバーサンプリングされ、図４に示すような離散的なサンプリングデータに変換される。図４においてＴはシンボル間隔、Ｔｓはサンプリング間隔、Ｓｎ（ｎ＝０，１，…，Ｍー１）は、サンプル位置番号ｎにおけるサンプルであり、図４ではオーバーサンプリングレートがＭ＝８の例である。
【０００８】
一方、Ｑ側直交検波結果１０２は、Ａ／Ｄ変換器１０４に入力され、入力された波形はシンボルレートのＭ倍でオーバーサンプリングされ、図５に示すような離散的なサンプリングデータに変換される。図５においてＴはシンボル間隔、Ｔｓはサンプリング間隔、Ｓｎ（ｎ＝０，１，…，Ｍー１）は、サンプル位置番号ｎにおけるサンプルであり、図５ではオーバーサンプリングレートがＭ＝８の例である。
【０００９】
次に、Ａ／Ｄ変換器１０３及びＡ／Ｄ変換器１０４から出力されるＩ側のサンプリングデータ及びＱ側のサンプリングデータのＬシンボル分、即ちＩ側とＱ側それぞれＬ×Ｍサンプルのデータがシンボル識別点検出手段１０５に入力され、シンボル識別点検出手段１０５によってシンボル識別点が検出され、シンボル識別点のサンプル位置番号、即ちＳｎのｎの番号がシンボル識別点情報として得られる。
【００１０】
ここで、従来のシンボル識別点検出装置の動作について、具体例を用いて更に詳しく説明する。
【００１１】
いま、例として移動無線装置が図２２に示すような無線フォーマットを受信する場合の、シンボル識別点検出を考える。図２２において、黒色で塗りつぶした部分は変調が施されていない非変調波であって、基地局等の送信側のトレーニング等に使用される区間であり、且つ帯域制限された任意の波形が送出される区間である。ところで、任意の非変調波ではシンボル識別点の検出は出来ない。
【００１２】
また、図２２において、黒色で塗りつぶした部分以外の部分は変調波であって、なんらかの変調が施されている波形が送出される区間であり、シンボル識別点の検出はこの区間における変調波の性質を用いて行われる。また、だ円で囲んだ部分は、サービスエリア内外の境界線近傍、低速フェージングあるいはシャドーウィング等によって受信電界レベルが小さくなっている区間と仮定し、その他の部分の受信電界レベルは十分に大きいものと仮定する。
【００１３】
また、図２２において、Ａ，Ｂ，Ｃ及びＤと示す区間はそれぞれ、以下で説明する従来のシンボル識別点検出装置の動作の第１の例、第２の例、第３の例及びに第４の例に対応しており、シンボル識別点検出に用いるサンプリングデータの区間を示している。ここで、各区間は、無線フォーマットのフレームタイミングと同期していないが、これはシンボル識別点検出の際には、移動無線装置はフレームタイミングを知り得ないためであり、任意の時刻からのＬシンボル分のサンプリングデータによってシンボル識別点が検出される。
【００１４】
まず、第１の例として、１フレーム時間の１／４の時間のサンプリングデータ、即ち、１フレームが４Ｌシンボルであるときにシンボル識別点検出にＬシンボル分のサンプリングデータが用いられ、図２２のＡで示される区間にてシンボル識別点検出が行われる場合の従来のシンボル識別点検出装置の動作を説明する。
【００１５】
この場合のシンボル識別点検出では、区間Ａの受信電界レベルが十分大きい区間が用いられ、且つ変調波の区間が用いられているため、シンボル識別点検出手段１０５によって、シンボル識別点検出は良い性能で行われる。
【００１６】
次に、第２の例として、１フレーム時間の１／４の時間のサンプリングデータ、即ち１フレームが４Ｌシンボルであるときにシンボル識別点検出にＬシンボル分のサンプリングデータが用いられ、図２２のＢで示される区間にてシンボル識別点検出が行われる場合の従来のシンボル識別点検出装置の動作を説明する。
【００１７】
この場合のシンボル識別点検出では、区間Ｂの受信電界レベルが小さい区間が用いられているため、この区間Ｂは変調波であるにもかかわらず、シンボル識別点検出手段１０５が正常に動作する可能性が低くなり、シンボル識別点検出の性能は劣化する。
【００１８】
次に、第３の例として、１フレーム時間の１／４の時間のサンプリングデータ、即ち１フレームが４Ｌシンボルであるときにシンボル識別点検出にＬシンボル分のサンプリングデータが用いられ、図２２のＣで示される区間にてシンボル識別点検出が行われる場合の従来のシンボル識別点検出装置の動作を説明する。
【００１９】
この場合のシンボル識別点検出では、区間Ｃの受信電界レベルが十分大きい区間が用いられているが、この区間Ｃには変調波と非変調波が混在するため、非変調波によってシンボル識別点検出手段１０５が正常に動作する可能性が低くなり、シンボル識別点検出の性能は著しく劣化する。
【００２０】
次に、第４の例として、１フレーム時間の３／４の時間のサンプリングデータ、即ち１フレームが４Ｌ／３シンボルであるときにシンボル識別点検出にＬシンボル分のサンプリングデータが用いられ、図２２のＤで示される区間にてシンボル識別点検出が行われる場合の、従来のシンボル識別点検出装置の動作を説明する。
【００２１】
この場合のシンボル識別点検出では、区間Ｄには変調波と非変調波が混在しているため、区間Ｄでは変調波が含まれる時間が非変調波が含まれる時間と比較して長いにもかかわらず、この場合にも前記第３の例と同様に、非変調波によってシンボル識別点検出手段１０５が正常に動作する可能性が低くなり、シンボル識別点検出の性能は劣化する。
【００２２】
【発明が解決しようとする課題】
上記のような従来のシンボル識別点検出装置では、Ｌシンボル分のサンプリングデータを用いたシンボル識別点の検出を１回しか行わないため、前記の従来のシンボル識別点検出装置の第２の例に示した通り、サービスエリア内外の境界線近傍、低速フェージングあるいはシャドーウィング等によって受信電界レベルが小さくなっている場合には、シンボル識別点検出の性能は劣化する。
【００２３】
また、シンボル識別点検出は、変調のかけられていない任意の非変調波に対しては行えないため、前記の従来のシンボル識別点検出装置の第３の例に示した通り、シンボル識別点検出に用いられたサンプリングデータの中に変調波と非変調波が混在する場合には、非変調波によってシンボル識別点検出手段１０５が正常に動作する可能性が低くなり、シンボル識別点検出の性能は著しく劣化する。
【００２４】
また、前記の従来のシンボル識別点検出装置の第４の例に示した通り、シンボル識別点検出に変調波が用いられている時間が非変調波が用いられている時間と比較して長い場合には、前記の従来のシンボル識別点検出装置の第３の例と比較して性能の劣化は少ないが、非変調波のパターンによっては、いくら大きなＬを用いても誤ったシンボル識別点検出しか出来なくなる可能性がある。
【００２５】
本発明は上記課題を解決し、受信電界レベルが低くなる場合について、従来と比較してより性能よくシンボル識別点の検出を行うことが可能となり、且つ変調波と非変調波の混在するシステムにおいても、性能よくシンボル識別点の検出を行うことが可能となるような、シンボル識別点検出装置を提供することを目的とする。
【００２６】
【課題を解決するための手段】
上記目的を達成するため本発明では、従来の技術によるＬシンボル分のサンプリング列から検出されるシンボル識別点は仮の識別点とし、これを連続してＮ回繰り返し、これによって得られるＮ個の仮のシンボル識別点のサンプル位置番号の度数分布等より、真のシンボル識別点を選択する。また、１回目のサンプル位置番号の度数分布から、真のシンボル識別点を選択するのが困難な場合には、１回目の連続したＮ回の仮のシンボル識別点検出で想定していたフレームタイミングとずらした時間帯で２回目の連続したＮ回の仮のシンボル識別点検出を行い、これにより得られた新たなＮ個の仮のシンボル識別点のサンプル位置番号の度数分布等より、真のシンボル識別点を選択する。
【００２７】
【発明の実施の形態】
本発明の請求項１に記載の発明は、Ｍ倍（Ｍ：自然数）でオーバーサンプリングされた受信ベースバンド信号のＬシンボル分（Ｌ：自然数）のサンプリング列から仮のシンボル識別点を検出する仮のシンボル識別点検出手段と、前記仮のシンボル識別点検出手段により仮のシンボル識別点が連続してＮ回（Ｎ：自然数）検出されたときこのシンボル識別点のサンプル位置番号を記憶する記憶手段と、前記記憶手段に記憶されたＮ個の仮のシンボル識別点のサンプル位置番号ごとの度数を集計処理し、度数の最も大きいサンプル位置番号を真のシンボル識別点のサンプル位置番号として決定する真のシンボル識別点検出手段とを備えたことを特徴とする。
【００２８】
上記構成によれば、真のシンボル識別点検出手段は、Ｌシンボル分のサンプリング列から検出したシンボル識別点を仮の識別点とし、これをＮ回繰り返して得られたＮ個の仮のシンボル識別点のサンプル位置番号の度数が最大のものを真のシンボル識別点と判断する。これにより、受信電界レベルが小さい区間を用いた場合のシンボル識別点検出性能の劣化を抑制し、シンボル識別点検出性能を向上させる。
【００２９】
また、請求項２記載のように、前記真のシンボル識別点検出手段は、最も大きいサンプル位置番号が複数存在する場合には、１回目の連続したＮ回（Ｎ：自然数）の仮のシンボル識別点検出で想定していたフレームタイミングとずらした時間帯で２回目の連続したＮ回の仮のシンボル識別点を検出し、これにより記憶された新たなＮ個の仮のシンボル識別点のサンプル位置番号ごとの度数を集計処理し、度数の最も大きいサンプル位置番号を真のシンボル識別点のサンプル位置番号として決定する構成としてもよい。
【００３０】
上記構成によれば、１回目のシンボル識別点の各サンプル位置番号の度数から、真のシンボル識別点を識別することが困難な場合が生じても、２回目の連続したＮ回の仮のシンボル識別点検出を行い、これにより得られた新たなＮ個の仮のシンボル識別点のサンプル位置番号の度数分布からシンボル識別点を決定する。これにより、変調波と非変調波の混在する通信においても、性能よくシンボル識別点を検出できるようになる。
【００３１】
また、請求項３記載のように、請求項２の真のシンボル識別点検出手段は、最も大きいサンプル位置番号が複数存在する場合には、予め指定した回数だけ同請求項２記載の処理を繰り返して真のシンボル識別点のサンプル位置番号として決定してもよい。このようにシンボル識別点の決定が困難な場合には、複数回にわたる連続したＮ回の仮のシンボル識別点検出によりシンボル識別点を検出できるようになる。
【００３２】
本発明の請求項４は、Ｍ倍（Ｍ：自然数）でオーバーサンプリングされた受信ベースバンド信号のＬシンボル分（Ｌ：自然数）のサンプリング列から仮のシンボル識別点を検出する仮のシンボル識別点検出手段と、前記仮のシンボル識別点検出手段により仮のシンボル識別点が連続してＮ回（Ｎ：自然数）検出されたときこのシンボル識別点のサンプル位置番号を記憶する記憶手段と、前記記憶手段に記憶されたＮ個の仮のシンボル識別点のサンプル位置番号の度数分布を作成処理し、特定の連続するサンプル位置番号付近での分布の偏りに基づき最適なサンプル位置番号を選択して真のシンボル識別点のサンプル位置番号として決定する真のシンボル識別点検出手段とを備えたことを特徴とする。
【００３３】
上記構成によれば、仮のシンボル識別点検出手段は、真のシンボル識別点のサンプル位置番号だけでなく、真のシンボル識別点のサンプル位置番号から僅かにずれたサンプル位置番号が算出される可能性が高い。しかし、この性質を利用し、得られたＮ個の仮のシンボル識別点のサンプル位置番号の度数分布が偏っている付近で最も尤もらしいシンボル識別点のサンプル位置番号を決定するため、シンボル識別点の検出をより性能よく行えるようになる。
【００３４】
請求項５記載のシンボル識別点検出装置によれば、前記真のシンボル識別点検出手段は、複数の連続するサンプル位置番号付近に分布が偏っている場合には、１回目の連続したＮ回（Ｎ：自然数）の仮のシンボル識別点検出で想定していたフレームタイミングとずらした時間帯で２回目の連続したＮ回の仮のシンボル識別点を検出し、これにより記憶された新たなＮ個の仮のシンボル識別点のサンプル位置番号の度数分布を作成処理し、特定の連続するサンプル位置番号付近での分布の偏りに基づき最適なサンプル位置番号を選択して真のシンボル識別点のサンプル位置番号として決定する。
【００３５】
上記構成によれば、１回目のシンボル識別点の各サンプル位置番号の度数分布の偏りから、真のシンボル識別点を選択するのが困難な場合であっても、１回目の連続したＮ回の仮のシンボル識別点検出で想定していたフレームタイミングとずらした時間帯で２回目の連続したＮ回の仮のシンボル識別点の検出を行い、これにより得られた新たなＮ個の仮のシンボル識別点の各サンプル位置番号の度数分布の偏りからシンボル識別点の検出を行うことができる。また、度数ではなく度数分布の偏りからシンボル識別点を決定するため、変調波と非変調波の混在する通信においても、より性能よくシンボル識別点の検出を行うことができる。
【００３６】
また、請求項６記載のように、前記請求項５記載の真のシンボル識別点検出手段は、複数の連続するサンプル位置番号付近に分布が偏っている場合には、予め指定した回数だけ同請求項５記載の処理を繰り返して真のシンボル識別点のサンプル位置番号として決定してもよい。このようにシンボル識別点の決定が困難な場合には、複数回にわたる連続したＮ回の仮のシンボル識別点検出によりシンボル識別点を検出できるようになる。
【００３７】
また、請求項７記載の移動無線装置は、Ｉ側及びＱ側直交検波入力端子と、前記Ｉ側及びＱ側直交検波結果をシンボルレートのＭ倍（Ｍ：自然数）でオーバーサンプリングし、サンプリングデータを出力するＡ／Ｄ変換器と、前記Ａ／Ｄ変換器の変換出力に基づきシンボル識別点を検出する処理手段とを備え、前記処理手段は、前記請求項１乃至６記載のシンボル識別点検出装置で構成されていることを特徴とする。このような構成によれば、移動無線装置の基本構成に、上記シンボル識別点検出手段を追加するだけの簡単な構成を付加するだけでシンボル識別点を正確に検出できるようになる。そして、無線受信の際の受信電界レベルが低くなる場合でも性能よくシンボル識別点の検出を行うことが可能となる。
【００３８】
また、本発明のシンボル識別点検出方法は、請求項８記載のようにＭ倍（Ｍ：自然数）でオーバーサンプリングされた受信ベースバンド信号のＬシンボル分（Ｌ：自然数）のサンプリング列から仮のシンボル識別点を検出し、前記仮のシンボル識別点が連続してＮ回（Ｎ：自然数）検出されたときこのシンボル識別点のサンプル位置番号を記憶し、前記記憶したＮ個の仮のシンボル識別点のサンプル位置番号ごとの度数を集計処理し、前記度数の最も大きいサンプル位置番号を真のシンボル識別点のサンプル位置番号として決定することを特徴とする。
【００３９】
このような構成によれば、簡単な手順でシンボル識別点を正確に検出できるようになり、装置の構成を簡素化できるようになる。
【００４０】
また、請求項９記載の方法は、Ｍ倍（Ｍ：自然数）でオーバーサンプリングされた受信ベースバンド信号のＬシンボル分（Ｌ：自然数）のサンプリング列から仮のシンボル識別点を検出し、前記仮のシンボル識別点が連続してＮ回（Ｎ：自然数）検出されたときこのシンボル識別点のサンプル位置番号を記憶し、前記記憶したＮ個の仮のシンボル識別点のサンプル位置番号の度数分布を作成処理し、前記特定の連続するサンプル位置番号付近での分布の偏り状態に基づき、該付近で最も尤もらしいサンプル位置番号を選択して真のシンボル識別点のサンプル位置番号として決定することを特徴とする。
【００４１】
上記構成によれば、簡単な手順でシンボル識別点をより正確に検出できるようになり、装置の構成を大幅に変更せずとも簡単な構成でシンボル識別点を検出できるようになる。
【００４２】
（実施の形態）
以下、本発明の実施の形態について、図１〜図２０を用いて説明する。
【００４３】
まず、図１〜図５を参照して本発明のシンボル識別点検出装置について説明する。
【００４４】
図１は、本発明の移動無線装置のシンボル識別点検出装置の構成図である。
【００４５】
図１において、無線部のＩ側直交検波結果の入力１、Ｑ側直交検波結果の入力２は、それぞれＡ／Ｄ変換器３，４に入力される。
【００４６】
仮のシンボル識別点検出手段５は、Ａ／Ｄ変換器３及び４から入力されるサンプリングデータから仮のシンボル識別点を検出する。
【００４７】
記憶手段６は、連続してＮ回検出されたＮ個の仮のシンボル識別点のサンプル位置番号を記憶する。
【００４８】
真のシンボル識別点選択手段７は、以下の実施の形態１から実施の形態４に記述する方法によって、仮のシンボル識別点検出手段５で検出されたＮ個の仮のシンボル識別点のサンプル位置番号の中から、真のシンボル識別点のサンプル位置番号を選択し決定する。
【００４９】
次に、図１に示すように構成された本発明のシンボル識別点検出装置の動作について、まず、各実施形態にわたって共通な動作について説明する。
【００５０】
Ｉ側直交検波結果１及びＱ側直交検波結果２は、それぞれ図２及び図３に示すような、時刻ｔに関して連続な波形である。Ｉ側直交検波結果はＡ／Ｄ変換器３に入力され、入力された波形はシンボルレートのＭ倍でオーバーサンプリングされ、図４に示すような離散的なサンプリングデータに変換される。
【００５１】
図４においてＴはシンボル間隔、Ｔｓはサンプリング間隔、Ｓｎ（ｎ＝０，１，…，Ｍ−１）はサンプル位置番号ｎにおけるサンプルであり、図４はオーバーサンプリングレートがＭ＝８の例である。
【００５２】
一方、Ｑ側直交検波結果２はＡ／Ｄ変換器４に入力され、入力された波形はシンボルレートのＭ倍でオーバーサンプリングされ、図５に示すような離散的なサンプリングデータに変換される。
【００５３】
図５においてＴはシンボル間隔、Ｔｓはサンプリング間隔、Ｓｎ（ｎ＝０，１，…，Ｍ−１）はサンプル位置番号ｎにおけるサンプルであり、図５はオーバーサンプリングレートがＭ＝８の例である。
【００５４】
次に、Ａ／Ｄ変換器３及びＡ／Ｄ変換器４から出力されるＩ側のサンプリングデータ及びＱ側のサンプリングデータのＬシンボル分、即ちＩ側とＱ側それぞれＬ×Ｍサンプルのデータが仮のシンボル識別点検出手段５に入力され、このデータに基づき１回の仮のシンボル識別点検出手段５が動作する。
【００５５】
これより以後は、実施形態１から実施形態４でそれぞれ動作が異なるので、各実施別に詳細に説明する。
【００５６】
（実施の形態１）
まず、本発明の実施形態１のシンボル識別点検出装置の動作を、図６のフロ−チャ−トを用いて説明する。
【００５７】
図６において、ステップＳ１０２は、図１における仮のシンボル識別点検出手段５の動作に相当し、ステップＳ１０３は、図１における記憶手段６の動作に相当する。また、ステップＳ１０５からステップＳ１０８までは、図１における真のシンボル識別点選択手段７の動作に相当する。
【００５８】
まず、ステップＳ１０１でｉ＝１の場合、Ａ／Ｄ変換器３及びＡ／Ｄ変換器４から出力されるＩ側のサンプリングデータ及びＱ側のサンプリングデータのＬシンボル分が、仮の識別点検出手段５に入力され、１回目の仮のシンボル識別点のサンプル位置番号が０からＭ−１の中から１つ選択される（ステップＳ１０２）。選択された仮のシンボル識別点のサンプル位置番号は、記憶手段６に入力され、Ｓｐ〔１〕に格納され（ステップＳ１０３）、第１回目の仮のシンボル識別点の検出が終了する（ステップＳ１０４）。
【００５９】
さらに、ｉ＝２からｉ＝Ｎについて、ステップＳ１０１からステップＳ１０４までの動作が前記と同様に行われ、最終的に、Ｎ個の仮のシンボル識別点のサンプル位置番号がＳｐ〔１〕からＳｐ〔Ｎ〕に格納される。
【００６０】
次に、Ｎ個の仮のシンボル識別点のサンプル位置番号Ｓｐ〔１〕からＳｐ〔Ｎ〕は、真のシンボル識別点選択手段７に入力され、Ｓｐ〔１〕からＳｐ〔Ｎ〕に記憶されているサンプル位置番号０からＭ−１のうち、度数が最大であるものが探される（ステップＳ１０５）。
【００６１】
ステップＳ１０６において、度数が最大であるサンプル位置番号が１つであるかどうか確認され、もし１つであるならばステップＳ１０７に移行する。もし複数であるならばステップＳ１０８に移行する。
【００６２】
ステップＳ１０７では、度数が最大であった、ただ１つのサンプル位置番号が、シンボル識別点情報として出力される。
【００６３】
ステップＳ１０８では、度数が最大であった複数のサンプル位置番号のなかから、真のシンボル識別点がランダムに選択され、シンボル識別点情報として用いられる。
【００６４】
次に、実施の形態１の動作例を具体的な数値を用いて説明する。
【００６５】
いま、移動無線装置は図７に示すような無線フォーマットを受信するとする。図７において、すべての受信波は変調波であって、何らかの変調が施されている波形が送出されている。また、だ円で囲んだ部分は、サービスエリア内外の境界線近傍、低速フェージングあるいはシャドーウィング等によって受信電界レベルが小さくなっている区間と仮定し、その他の部分は受信電界レベルは十分に大きいものと仮定する。
【００６６】
また、Ａ／Ｄ変換器３及び４のオーバーサンプリングレートはＭ＝８とし、このときの真のシンボル識別点のサンプル位置番号は４であると仮定する。
【００６７】
このとき、１フレーム時間の１／４の時間のサンプリングデータ、即ち、１フレームが４Ｌシンボルであるときに１回の仮のシンボル識別点検出にＬシンボル分のサンプリングデータが用いられ、まず図７の区間Ａ１から区間Ａ４の４回（Ｎ＝４）にわたって、仮のシンボル識別点検出が行われるとする（ステップＳ１０１からステップＳ１０４）。
【００６８】
もし、この場合の４回の仮のシンボル識別点のサンプル位置番号Ｓｐ〔１〕からＳｐ〔４〕が、仮のシンボル識別点検出手段５によって図８のように得られた場合、サンプル位置番号４の度数がただ１つ最大であるため、真のシンボル識別点選択手段７によって、サンプル位置番号４がシンボル識別点情報として出力される（ステップＳ１０５からステップＳ１０７）。
【００６９】
また、もし、この場合の４回の仮のシンボル識別点のサンプル位置番号Ｓｐ〔１〕からＳｐ〔４〕が、仮のシンボル識別点検出手段５によって図９のように得られた場合、度数が最大であるサンプル位置番号が複数（０と４）存在するため、真のシンボル識別点選択手段７によって、サンプル位置番号０または４がシンボル識別点情報として出力される。（ステップＳ１０５，ステップＳ１０６及びステップＳ１０８）。
【００７０】
いま、真のシンボル識別点のサンプル位置番号は４であるが、前記の具体的数値例において説明に用いた図８では、Ｓｐ〔１〕からＳｐ〔４〕のうち、Ｓｐ〔１〕のみが誤ったサンプル位置番号（０）となっている。これは、１回目の仮のシンボル識別点検出が、図７の区間Ａ１の受信電界レベルの小さい区間を用いて行われるためである。
【００７１】
しかしながら、上記実施の形態１によれば、仮のシンボル識別点検出を４回行い、度数のもっとも大きくなるサンプル位置番号を以て真のシンボル識別点とするため、最終的に正しいシンボル識別点のサンプル位置番号（４）が選択されることになる。
【００７２】
なお、従来のシンボル識別点検出装置では、Ｌシンボル分のサンプリングデータを用いたシンボル識別点の検出を１回しか行わないが、もし従来のシンボル識別点検出装置で、シンボル識別点検出に図７の区間Ａ１の受信電界レベルの小さい区間が用いられた場合には、誤ったサンプル位置番号（０）が検出されることになる。
【００７３】
（実施の形態２）
次に、本発明のシンボル識別点検出装置の実施の形態２の動作を、図１０のフローチャートを用いて説明する。
【００７４】
図１０において、ステップＳ２０２は、図１における仮のシンボル識別点検出手段５の動作に相当し、ステップＳ２０３は、図１における記憶手段６の動作に相当する。また、ステップＳ２０５からステップＳ２１０までは、図１における真のシンボル識別点選択手段７の動作に相当する。
【００７５】
まず、ステップＳ２０１でｉ＝１の場合、Ａ／Ｄ変換器３及びＡ／Ｄ変換器４から出力されるＩ側のサンプリングデータ及びＱ側のサンプリングデータのＬシンボル分が、仮の識別点検出手段５に入力され、１回目の仮のシンボル識別点のサンプル位置番号が０からＭ−１の中から１つ選択される（ステップＳ２０２）。選択された仮のシンボル識別点のサンプル位置番号は、記憶手段６に入力され、Ｓｐ〔１〕に格納され（ステップＳ２０３）、第１回目の仮のシンボル識別点の検出が終了する（ステップＳ２０４）。
【００７６】
さらに、ｉ＝２からｉ＝Ｎについて、ステップＳ２０１からステップＳ２０４までの動作が前記と同様に行われ、最終的に、Ｎ個の仮のシンボル識別点のサンプル位置番号がＳｐ〔１〕からＳｐ〔Ｎ〕に格納される。
【００７７】
次に、Ｎ個の仮のシンボル識別点のサンプル位置番号Ｓｐ〔１〕からＳｐ〔Ｎ〕は、真のシンボル識別点選択手段７に入力され、Ｓｐ〔１〕からＳｐ〔Ｎ〕に記憶されているサンプル位置番号０からＭ−１のうち、度数が最大であるものが探される（ステップＳ２０５）。
【００７８】
ステップＳ２０６において、度数が最大であるサンプル位置番号が１つであるかどうか確認され、もし１つであるならばステップＳ２０７に移行する。もし複数であるならばステップＳ２０８に移行する。
【００７９】
ステップＳ２０７では、度数が最大であった、ただ１つのサンプル位置番号が、シンボル識別点情報として出力される。
【００８０】
ステップＳ２０８は、度数が最大であったサンプル位置番号が複数あった場合に、もう一度ステップＳ２０１からステップＳ２０５をやり直すか否かを判定する処理であり、既に予め指定した回数が終了していればステップＳ２０９に、予め指定した回数が終了していなければステップＳ２０１に移行する。
【００８１】
ステップＳ２０９では、度数が最大であった複数のサンプル位置番号の中から、真のシンボル識別点がランダムに選択され、シンボル識別点情報として出力される。
【００８２】
ステップＳ２１０では、次回の連続Ｎ回の仮のシンボル識別点検出の開始時刻の調整が行われる。開始時刻は、これまでの連続Ｎ回の仮のシンボル識別点検出で想定されたフレームタイミングとずらされた開始時刻が選ばれる。選ばれた開始時刻情報は、仮のシンボル識別点検出手段５に渡される。
【００８３】
ステップＳ２１０から移行されたＳ２０１においては、ステップＳ２１０にて選ばれた開始時刻情報に基づき、Ｎ回連続の仮のシンボル識別点検出が再度行われ（ステップＳ２０１からステップＳ２０４）、以後ステップＳ２０５以降が繰り返される。
【００８４】
次に、実施の形態２の動作例を具体的な数値を用いて説明する。
【００８５】
いま、移動無線装置は図１１に示すような無線フォーマットを受信するとする。図１１において、黒色で塗りつぶした部分は変調が施されていない非変調波であって、基地局等の送信側トレーニング等に使用される区間であり、且つ帯域制限された任意の波形が送出される区間である。
【００８６】
また、図１１において、黒色で塗りつぶした部分以外の部分は変調波であって、何らかの変調が施されている波形が送出される区間である。
【００８７】
このとき、１フレーム時間の１／４の時間のサンプリングデータ、即ち１フレームが４Ｌシンボルであるときに１回の仮のシンボル識別点検出にＬシンボル分のサンプリングデータが用いられ、まず図１１の区間Ｂ１から区間Ｂ４の４回（Ｎ＝４）にわたって、仮のシンボル識別点検出が行われるとする。また、度数が最大であったサンプル位置番号が複数あった場合の、Ｎ回連続の仮のシンボル識別点検出の繰り返し回数として、予め指定する回数（ステップＳ２０８で使用）は２回とする。
【００８８】
また、Ａ／Ｄ変換器３及び４のオーバーサンプリングレートはＭ＝８とし、このときの真のシンボル識別点のサンプル位置番号は４であると仮定する。
【００８９】
もし、この場合の４回の仮のシンボル識別点のサンプル位置番号Ｓｐ〔１〕からＳｐ〔４〕が、仮のシンボル識別点検出手段５によって図１２のように得られた場合（ステップＳ２０１からステップＳ２０４）、度数が最大であるサンプル位置番号が複数（０と４）存在するため、ステップＳ２０６からステップＳ２０８へ移行する。
【００９０】
ステップＳ２０８において、予め指定した回数は２であるので、現在のところ連続４回での仮のシンボル識別点は１回しか行われていないため、ステップＳ２１０へ移行する。
【００９１】
ステップＳ２１０において、シンボル識別点検出を行う上で想定されるフレームタイミングがずらされ、ステップＳ２０１に移行する。
【００９２】
ステップＳ２０１からステップ２０５の結果として、この２回目の連続４回の仮のシンボル識別点検出によるサンプル位置番号Ｓｐ〔１〕からＳｐ〔４〕が、シンボル識別点検出手段５によって図１３のように得られたとする。この場合、サンプル位置番号４の度数が最も大きいため、サンプル位置番号４がシンボル識別点情報として出力される（ステップＳ２０７）。
【００９３】
前述の具体的な数値例では、仮のシンボル識別点のサンプル位置番号Ｓｐ〔１〕からＳｐ〔４〕は、１回目の連続４回の仮のシンボル識別点検出と２回目それとで異なるが、これは、１回目は図１１におけるＢ１からＢ４の区間のうち、Ｂ３及びＢ４が変調波と非変調波が混在する区間で仮のシンボル識別点を行っているため、この２区間における仮のシンボル識別点は誤っている可能性が高く、残りの２区間は正しい可能性が高い。これに対して、２回目は図１１におけるＣ１からＣ４の区間のうち、区間Ｃ３のみが変調波と非変調波が混在する区間で仮のシンボル識別点検出を行っているため、この１区間のみの仮のシンボル識別点は誤っている可能性が高く、残りの３区間は正しい可能性が高いためである。
【００９４】
たとえば、上述した実施の形態１の動作が図１１の無線フォーマットに適用される場合、１回目に図１２のようになった場合には、誤ったサンプル位置番号０または正しいサンプル位置番号４が選択されるのに対し、本実施の形態２では、前記のように正しいサンプル位置番号４が選択されるため、請求項１と比較してシンボル識別点検出性能が向上する。
【００９５】
（実施の形態３）
次に、本発明の実施の形態３に記載のシンボル識別点検出装置の動作を、図１４のフローチャートを用いて説明する。
【００９６】
図１４において、ステップＳ３０２は、図１における仮のシンボル識別点検出手段５の動作に相当し、ステップＳ３０３は、図１における記憶手段６の動作に相当する。また、ステップＳ３０５からステップＳ３０８までは、図１における真のシンボル識別点選択手段７の動作に相当する。
【００９７】
まず、ステップＳ３０１でｉ＝１の場合、Ａ／Ｄ変換器３及びＡ／Ｄ変換器４から出力されるＩ側のサンプリングデータ及びＱ側のサンプリングデータのＬシンボル分が、仮の識別点検出手段５に入力され、１回目の仮のシンボル識別点のサンプル位置番号が０からＭ−１の中から１つ選択される（ステップＳ３０２）。選択された仮のシンボル識別点のサンプル位置番号は、記憶手段６に入力され、Ｓｐ〔１〕に格納され（ステップＳ３０３）、第１回目の仮のシンボル識別点の検出が終了する（ステップＳ３０４）。
【００９８】
さらに、ｉ＝２からｉ＝Ｎについて、ステップＳ３０１からステップＳ３０４までの動作が前記と同様に行われ、最終的に、Ｎ個の仮のシンボル識別点のサンプル位置番号がＳｐ〔１〕からＳｐ〔Ｎ〕に格納される。
【００９９】
次に、Ｎ個の仮のシンボル識別点のサンプル位置番号Ｓｐ〔１〕からＳｐ〔Ｎ〕は、真のシンボル識別点選択手段７に入力され、Ｓｐ〔１〕からＳｐ〔Ｎ〕に記憶されているサンプル位置番号０からＭ−１の度数分布が作成される。さらに或る連続するサンプル位置番号付近に度数分布が偏っているかどうかが探される（ステップＳ３０５）。
【０１００】
ステップＳ３０６において、度数分布が偏っている箇所が１つであるかどうかがが確認され、もし１つであるならばステップＳ３０７に移行する。もし複数であるならばステップＳ３０８に移行する。
【０１０１】
ステップＳ３０７では、１つの度数分布が偏っていたサンプル位置番号付近から、最も尤もらしいサンプル位置番号が、シンボル識別点情報として出力される。
【０１０２】
ステップＳ３０８では、複数の度数分布が偏っていたサンプル位置番号付近の各々から、最も尤もらしいサンプル位置番号が選択され、さらにこれらのサンプル位置番号の中から、真のシンボル識別点がランダムに選択され、シンボル識別点情報として出力される。
【０１０３】
次に、実施の形態３における真のシンボル識別点選択手段７の動作について具体的な数値を用いることによって説明する。
【０１０４】
いま、Ａ／Ｄ変換器３及び４のオーバーサンプリングレートはＭ＝８とし、このときの真のシンボル識別点のサンプル位置番号は４であると仮定する。
【０１０５】
このとき、Ｌシンボル分のサンプリングデータから１回の仮のシンボル識別点検出が行われ、これが連続して１０回（Ｎ＝１０）行われて得られた１０個の仮のシンボル識別点のサンプル位置番号の度数分布が、図１５のようになったとする。
【０１０６】
この場合には、仮のシンボル識別点のサンプル位置番号の度数分布が、明らかにサンプル位置番号４と５の付近に偏っている。サンプル位置番号４と５の度数を比較すると、サンプル位置番号４の度数の方が大きいので、最も尤もらしいサンプル位置番号は４であり、サンプル位置番号４がシンボル識別点情報として出力される。
【０１０７】
また、前記同条件で、１０個の仮のシンボル識別点のサンプル位置番号の度数分布が、図１６のようになったとする。
この場合には、仮のシンボル識別点のサンプル位置番号の度数分布が、サンプル位置番号３から５の付近に偏っている。サンプル位置番号３から５の度数を比較すると、サンプル位置番号４の度数が最も大きいので、最も尤もらしいサンプル位置番号は４であり、サンプル位置番号４がシンボル識別点情報として出力される。
【０１０８】
また、前記同条件で、１０個の仮のシンボル識別点のサンプル位置番号の度数分布が、図１７のようになったとする。
【０１０９】
この場合には、仮のシンボル識別点のサンプル位置番号の度数分布が、サンプル位置番号０と１の付近、及びサンプル位置番号４と５の付近に偏っている。サンプル位置番号０と１の度数を比較すると、サンプル位置番号０の度数の方が大きいので、サンプル位置番号０と１の付近から選択される最も尤もらしいサンプル位置番号は０である。
【０１１０】
一方、サンプル位置番号４と５の度数を比較すると、サンプル位置番号４の度数の方が大きいので、サンプル位置番号４と５の付近から選択される最も尤もらしいサンプル位置番号は４である。従って、サンプル位置番号０または４がランダムに選択され、シンボル識別点情報として出力される。
【０１１１】
ところで、仮に実施の形態１の方法が図１６に適用された場合、度数が最大であるサンプル位置番号が選択されるため、誤ったサンプル位置番号０または正しいサンプル位置番号４がランダムに選択されてしまうことになる。ところが請求項３の本実施の形態によれば、正しいサンプル位置番号４が選択されることになる。
【０１１２】
これは、真のシンボル識別点のサンプル位置番号（この場合４）から少しずれたサンプル位置番号（この場合３または５）を用いて受信信号の復調を行った場合にも受信性能はそれほど劣化せず、また、実際、仮のシンボル識別点検出手段５では、真のシンボル識別点のサンプル位置番号から僅かにずれたサンプル位置番号が算出される可能性も高いという性質を利用したものであり、これによって実施の形態１に記載のシンボル識別点検出装置よりも更に性能のよいシンボル識別点検出が可能となる。
【０１１３】
（実施の形態４）
次に、本発明のシンボル識別点検出装置の実施の形態４の動作を、図１８のフローチャートを用いて説明する。
【０１１４】
図１８において、ステップＳ４０２は、図１における仮のシンボル識別点検出手段５の動作に相当し、ステップＳ４０３は、図１における記憶手段６の動作に相当する。また、ステップＳ４０５からステップＳ４１０までは、図１における真のシンボル識別点選択手段７の動作に相当する。
【０１１５】
まず、ステップＳ４０１でｉ＝１の場合、Ａ／Ｄ変換器３及びＡ／Ｄ変換器４から出力されるＩ側のサンプリングデータ及びＱ側のサンプリングデータのＬシンボル分が、仮の識別点検出手段５に入力され、１回目の仮のシンボル識別点のサンプル位置番号が０からＭ−１の中から１つ選択される（ステップＳ４０２）。選択された仮のシンボル識別点のサンプル位置番号は、記憶手段６に入力され、Ｓｐ〔１〕に格納され（ステップＳ４０３）、第１回目の仮のシンボル識別点の検出が終了する（ステップＳ４０４）。
【０１１６】
さらに、ｉ＝２からｉ＝Ｎについて、ステップＳ４０１からステップＳ４０４までの動作が前記と同様に行われ、最終的に、Ｎ個の仮のシンボル識別点のサンプル位置番号がＳｐ〔１〕からＳｐ〔Ｎ〕に格納される。
【０１１７】
次に、Ｎ個の仮のシンボル識別点のサンプル位置番号Ｓｐ〔１〕からＳｐ〔Ｎ〕は、真のシンボル識別点選択手段７に入力され、Ｓｐ〔１〕からＳｐ〔Ｎ〕に記憶されているサンプル位置番号０からＭ−１の度数分布が作成される。さらに或る連続するサンプル位置番号付近に度数分布が偏っているかどうかが探される（ステップＳ４０５）。
【０１１８】
ステップＳ４０６において、度数分布が偏っている箇所が１つであるかどうかがが確認され、もし１つであるならばステップＳ４０７に移行する。もし複数であるならばステップＳ４０８に移行する。
【０１１９】
ステップＳ４０７では、１つの度数分布が偏っていたサンプル位置番号付近から、最も尤もらしいサンプル位置番号が、シンボル識別点情報として出力される。
【０１２０】
ステップＳ４０８は、度数分布が偏っている箇所が複数あった場合に、もう一度ステップＳ４０１からステップＳ４０５をやり直すか否かを判定する処理であり、既に予め指定した回数が終了していればステップＳ４０９に、予め指定した回数が終了していなければステップＳ４１０に移行する。
【０１２１】
ステップ４０９では、複数の度数分布が偏っていたサンプル位置番号付近の各々から、最も尤もらしいサンプル位置番号が選択され、さらにこれらのサンプル位置番号の中から、真のシンボル識別点がランダムに選択され、シンボル識別点情報として出力される。
【０１２２】
ステップＳ４１０では、次回の連続Ｎ回の仮のシンボル識別点検出の開始時刻の調整が行われる。開始時刻は、これまでの連続Ｎ回の仮のシンボル識別点検出で想定されたフレームタイミングとずらされた開始時刻が選ばれる。選ばれた開始時刻情報は、仮のシンボル識別点検出手段５に渡される。
【０１２３】
ステップＳ４１０から移行されたＳ４０１においては、ステップＳ４１０にて選ばれた開始時刻情報に基づき、Ｎ回連続の仮のシンボル識別点検出が再度行われステップＳ４０１からステップＳ４０４）、以後ステップＳ４０５以降が繰り返される。
【０１２４】
次に、実施の形態４における真のシンボル識別点選択手段７の動作について具体的な数値を用いることによって説明する。
【０１２５】
いま、Ａ／Ｄ変換器３及び４のオーバーサンプリングレートはＭ＝８とし、このときの真のシンボル識別点のサンプル位置番号は４であると仮定する。また、度数分布が偏っている箇所が複数あった場合の、Ｎ回連続の仮のシンボル識別点検出の繰り返し回数として、予め指定する回数（ステップＳ４０８で使用）は２回とする。
【０１２６】
このとき、Ｌシンボル分のサンプリングデータから１回の仮のシンボル識別点検出が行われ、これが連続して１０回（Ｎ＝１０）行われて得られた１０個の仮のシンボル識別点のサンプル位置番号の度数分布が、図１９のようになったとする。
【０１２７】
この場合には、仮のシンボル識別点のサンプル位置番号の度数分布が、サンプル位置番号０と１の付近、及びサンプル位置番号４と５の付近に偏っている。即ち、度数分布が偏っている箇所が複数あるため、ステップＳ４０６からステップＳ４０８へ移行する。
【０１２８】
ステップＳ４０８において、予め指定した回数は２であるので、現在のところ連続１０回の仮のシンボル識別点検出は１回しか行われていないため、ステップＳ４１０へ移行する。
【０１２９】
ステップＳ４１０において、シンボル識別点検出を行う上で想定されるフレームタイミングがずらされ、ステップＳ４０１に移行する。
【０１３０】
ステップＳ４０１からステップＳ４０５の結果として、この２回目の連続１０回の仮のシンボル識別点検出によるサンプル位置番号の度数分布が、図２０のようになったとする。この場合（実施の形態３）の図１６の説明と同様の理由により、サンプル位置番号４がシンボル識別点情報として出力される（ステップＳ４０７）。
【０１３１】
【発明の効果】
本発明の請求項１によるシンボル識別点検出装置によれば、Ｌシンボル分のサンプリング列から検出したシンボル識別点を仮の識別点とし、これをＮ回繰り返して得られたＮ個の仮のシンボル識別点のサンプル位置番号の度数が最大のものを真のシンボル識別点と判断するため、従来問題とされた受信電界レベルが小さい区間を用いた場合のシンボル識別点検出性能の劣化を抑制し、シンボル識別点検出性能を向上できるという効果がある。
【０１３２】
請求項２記載のシンボル識別点検出装置によれば、１回目のシンボル識別点の各サンプル位置番号の度数から、真のシンボル識別点を識別することが困難な場合が生じても、２回目の連続したＮ回の仮のシンボル識別点検出を行い、これにより得られた新たなＮ個の仮のシンボル識別点のサンプル位置番号の度数分布からシンボル識別点を決定するため、変調波と非変調波の混在する通信においても、性能よくシンボル識別点を検出できるようになる。
【０１３３】
請求項４記載のシンボル識別点検出装置によれば、真のシンボル識別点のサンプル位置番号の前後のサンプル位置番号を用いて受信信号の復調を行った場合にも受信性能が劣化せず、また、仮のシンボル識別点検出手段は、真のシンボル識別点のサンプル位置番号だけでなく、真のシンボル識別点のサンプル位置番号から僅かにずれたサンプル位置番号が算出される可能性が高いという性質を利用し、得られたＮ個の仮のシンボル識別点のサンプル位置番号の度数分布が偏っている付近で最も尤もらしいシンボル識別点のサンプル位置番号を決定するため、シンボル識別点の検出をより性能よく行えるようになる。
【０１３４】
請求項５記載のシンボル識別点検出装置によれば、１回目のシンボル識別点の各サンプル位置番号の度数分布の偏りから、真のシンボル識別点を選択するのが困難な場合であっても、１回目の連続したＮ回の仮のシンボル識別点検出で想定していたフレームタイミングとずらした時間帯で２回目の連続したＮ回の仮のシンボル識別点の検出を行い、これにより得られた新たなＮ個の仮のシンボル識別点の各サンプル位置番号の度数分布の偏りからシンボル識別点の検出を行うことができる。また、度数ではなく度数分布の偏りからシンボル識別点を決定するため、変調波と非変調波の混在する通信においても、より性能よくシンボル識別点の検出を行うことができる。
【図面の簡単な説明】
【図１】本発明のシンボル識別点検出装置の構成図
【図２】Ｉ側直交検波出力
【図３】Ｑ側直交検波出力
【図４】シンボル識別点検出手段の入力サンプリングデータＩ
【図５】シンボル識別点検出手段の入力サンプリングデータＱ
【図６】実施の形態１による動作フローチャート
【図７】実施の形態１の動作を説明するための無線フォーマット
【図８】実施の形態１の仮のシンボル識別点のサンプル位置番号の度数例（１）
【図９】実施の形態１の仮のシンボル識別点のサンプル位置番号の度数例（２）
【図１０】実施の形態２による動作フローチャート
【図１１】実施の形態２の動作を説明するための無線フォーマット
【図１２】実施の形態２の１回目の仮のシンボル識別点のサンプル位置番号の度数例
【図１３】実施の形態２の２回目の仮のシンボル識別点のサンプル位置番号の度数例
【図１４】実施の形態３による動作フローチャート
【図１５】実施の形態３の仮のシンボル識別点のサンプル位置番号の度数分布例（１）
【図１６】実施の形態３の仮のシンボル識別点のサンプル位置番号の度数分布例（２）
【図１７】実施の形態３の仮のシンボル識別点のサンプル位置番号の度数分布例（３）
【図１８】実施の形態４による動作フローチャート
【図１９】実施の形態４による１回目の仮のシンボル識別点のサンプル位置番号の度数分布例
【図２０】実施の形態４による２回目の仮のシンボル識別点のサンプル位置番号の度数分布例
【図２１】従来のシンボル識別点検出装置の構成図
【図２２】従来の技術を説明するための無線フォーマット
【符号の説明】
１  Ｉ側直交検波出力
２  Ｑ側直交検波出力
３，４  Ａ／Ｄ変換器
５  仮のシンボル識別点検出手段
６  記憶手段
７  真のシンボル識別点検出手段
１０１  Ｉ側直交検波結果
１０２  Ｑ側直交検波結果
１０３，１０４  Ａ／Ｄ変換器
１０５  シンボル識別点検出手段
【図１】
0004033967.tif 000002
【図２】
0004033967.tif 000003
【図３】
0004033967.tif 000004
【図４】
0004033967.tif 000005
【図５】
0004033967.tif 000006
【図６】
0004033967.tif 000007
【図７】
0004033967.tif 000008
【図８】
0004033967.tif 000009
【図９】
0004033967.tif 000010
【図１０】
0004033967.tif 000011
【図１１】
0004033967.tif 000012
【図１２】
0004033967.tif 000013
【図１３】
0004033967.tif 000014
【図１４】
0004033967.tif 000015
【図１５】
0004033967.tif 000016
【図１６】
0004033967.tif 000017
【図１７】
0004033967.tif 000018
【図１８】
0004033967.tif 000019
【図１９】
0004033967.tif 000020
【図２０】
0004033967.tif 000021
【図２１】
0004033967.tif 000022
【図２２】
0004033967.tif 000023